(57)【要約】【課題】交流電力及び直流電力を供給する。【解決手段】交流電力を供給する交流電源１２と；直流電力を供給する直流電源１２と；交流電源の電圧に直流電源の電圧を重畳させる重畳装置３０と；前記重畳装置３０と電力線１を介して接続されると共に交流または直流のいずれか一方を除去し他方を供給する電力供給装置とを具備する。【選択図】図１
2010075029.tif 000002
【特許請求の範囲】
【請求項１】
交流電力を供給する交流電源と；
直流電力を供給する直流電源と；
交流電源の電圧に直流電源の電圧を重畳させる重畳装置と；
前記重畳装置と電力線を介して接続されると共に交流または直流のいずれか一方を除去し他方を供給する電力供給装置と；
を具備することを特徴とする電力供給システム。
【請求項２】
前記電力供給装置は、前記電力線に接続される導電性レール及びこの導電性レールと非接触に設けられる直流供給レールを備え、
一対の導電性レールの交流成分を除去して直流電源を得て直流電圧を直流供給レールへ印加する交流除去手段を具備したことを特徴とする請求項１に記載の電力供給システム。
【発明の詳細な説明】
【技術分野】
【０００１】
この発明は、長尺状の一対の導電性レールから電力供給を可能としたライティングダクト装置を備え、交流電力及び直流電力を供給する電力供給システムに関するものである。
【背景技術】
【０００２】
近年においては、家庭や企業においては、太陽光等を用いた発電を行い、発電により得られる直流電力を用いる電力供給システムが見られるようになってきた。このような電力供給システムにあっては、直流を交流に変換し使用している。
【０００３】
一方、近年においては、ＬＥＤなどの直流電源を用いる直流負荷が多く用いられる場合もあり、このような電源環境に対応するために交流側と直流側で分電盤を分けて備えるようにし、配線の煩雑化を回避するようにしたシステムも登場している（特許文献１参照）。
【特許文献１】特開２００８−４３０００号公報
【０００４】
しかしながら、上記従来技術では、交流配線及び直流配線の両方を設置する必要があり、配線の煩雑化は回避できていない。また、交流電源を直流電源に変換している。このため、使用場所においては交流と直流のいずれか一方しか供給することができず、この供給された電源とは逆の交流または直流のいずれか一方のみしか対応していない機器を使用する場合、更に直流と交流の変換が必要となる。この結果、システム全体として変換に伴う電力の損失が大きくなってしまう。
【発明の開示】
【発明が解決しようとする課題】
【０００５】
本発明はこのような電力供給システムの現状に鑑みてなされたもので、その目的は、直流と交流との変換を減らし、システム全体の効率低下を抑制すると共に直流配線及び交流配線の双方を設置することなく交流電力及び直流電力を供給する電力供給システムを提供することである。
【課題を解決するための手段】
【０００６】
本発明に係る電力供給システムは、交流電力を供給する交流電源と；直流電力を供給する直流電源と；交流電源の電圧に直流電源の電圧を重畳させる重畳装置と；前記重畳装置と電力線を介して接続されると共に交流または直流のいずれか一方を除去し他方を供給する電力供給装置と；を具備することを特徴とする。
【０００７】
交流電源は、商用交流電源などを許容する。直流電源は、商用交流電源から作り出したものであっても良いし、太陽光発電などにより作り出したものであっても良い。長尺状とは直線状であっても、曲線部分を含むものであってっても良い。
【０００８】
本発明に係る電力供給システムでは、前記電力供給装置が、前記電力線に接続される導電性レール及びこの導電性レールと非接触に設けられる直流供給レールを備え、一対の導電性レールの交流成分を除去して直流電源を得て直流電圧を直流供給レールへ印加する交流除去手段を具備したことを特徴とする。
【０００９】
交流除去手段を複数設けて直流の大電流を供給可能とすることもできる。
【発明の効果】
【００１０】
本発明に係る電力供給システムによれば、直流電源の電圧に交流電源の電圧を重畳させる重畳装置及び交流または直流のいずれか一方を除去する電源供給装置が設けられているため、交流配線及び直流配線を設置することなく交流電力と直流電力の双方を必要に応じて供給することができる。
【００１１】
本発明に係る電力供給システムによれば、一対の導電性レールの交流成分を除去して直流電源を得て直流電圧を直流供給レールへ印加する交流除去手段を具備しているので、直流供給レールから交流が重畳していない直流電力を取り出すことができ、これをそのまま直流負荷に供給することが可能である。
【発明を実施するための最良の形態】
【００１２】
以下添付図面を参照して、本発明に係る電力供給システムの実施例を説明する。各図において、同一の構成要素には同一の符号を付して重複する説明を省略する。図１には、電力供給システムの構成図が示されている。この電力供給システムは、太陽光発電などによる直流電源１１、商用交流電源などの交流電源１２、電源供給装置としてのライティングダクト装置２０、重畳装置３０、電力線１を主な構成要素としている。
【００１３】
ライティングダクト装置２０は、図２、図３に示されるように絶縁材料などにより構成される長尺状のケース２１を有するもので、このケース２１の一面には、照明器具などの電気機器に電力を供給するためのプラグ端子を挿抜する開口部２２が形成されている。開口部２２の突き当たりは、背面板２３となっており、背面板２３が図示しない取付器具により天井などに取付けられる。
【００１４】
背面板２３の両側縁には、直角方向に側板２４が設けられている。側板２４の内壁端部には、側板２４に平行であって側板２４の中央部に対して突出し互いに対向する一対の爪片２５が形成されている。一対の爪片２５と側板２４の内壁の間には溝２６が形成される。
【００１５】
上記溝２６には、溝２６の形状に合致した形状の脚部４１を有する絶縁性の保持部材４０が嵌合されている。保持部材４０は、ケース２１の内部中央に向かって突出した一対の把持片４２を有し、該一対の把持片４２によって長尺状の導電性レール４５を把持している。
【００１６】
重畳装置３０は、図１に示すようにライティングダクト装置２０と電力線１を介して接続され、直流電源１１の電圧に交流電源１２の電圧を重畳させて電力線１に印加する。重畳装置３０は、例えば、図４に示すように、一次巻線３１と二次巻線３２とを有するトランス３３により構成することができる。一方の電力線１に一次巻線３１が接続され、他方の電力線１は接地されている。
【００１７】
電力線１は、一対の導電性レール４５に接続されており、この一対の導電性レール４５に直流電源１１の電圧に交流電源１２の電圧を重畳させて電圧が与えられているので、図１に示すように交流負荷５１と直流負荷５２の双方を接続して電力を得ることができる。交流負荷５１には、直流除去手段５３が備えられ、直流負荷５２には交流除去手段５４が備えられる。
【００１８】
直流除去手段５３は、図５（ａ）に示されるフィルタにより構成される。このフィルタは、一方の導電性レール４５にはコンデンサ５５が直列に接続され、このコンデンサ５５の出力側と他方の導電性レール４５との間には、コイル５６が接続されている。交流除去手段５４は、図５（ｂ）に示されるフィルタにより構成される。このフィルタは、一方の導電性レール４５にはコイル５７が直列に接続され、このコイル５７の出力側と他方の導電性レール４５との間には、コンデンサ５８が接続されている。
【００１９】
以上の構成によって交流負荷５１には直流成分が除去された交流電力が供給されて、交流負荷５１は適切に動作することができる。また、直流負荷５２には交流成分が除去された直流電力が供給されて直流負荷５２は適切に動作することができる。
【００２０】
図６には、第２の実施例に係る電力供給システムの構成例が示されている。この実施例においては、電源供給装置として交流分離部６０と直流供給レール７６とが備えられたライティングダクト装置２０Ａが用いられる。
【００２１】
ライティングダクト装置２０Ａは、図７、図８に示すようにライティングダクト装置２０Ａの開口部２２から内側にリニアコンセント７０が備えられている。リニアコンセント７０は、長尺状であり、断面がコの字状の外側ケース７１を有し、外側ケース７１の開口部を形成する側板７２がライティングダクト装置２０の開口部２２を形成する端部２９に嵌合している。つまり、ライティングダクト装置２０Ａは、図２、図３のライティングダクト装置２０の開口部２２の一部にリニアコンセント７０を設けた構成を有する。リニアコンセント７０の一端側には、交流分離部６０が設けられている。
【００２２】
外側ケース７１の内側には、開口部にケース２１の表面板に沿うように横に広がるフランジ７３を備えた外側断面がコの字状の内側ケース７４を有している。内側ケースの内部には、内部の部屋を細長い三室に仕切る二枚の仕切板７５が背板側から突出し、細長い三室にはプラグ端子に直流電力を供給するため、断面形状が蕾状である三枚の直流供給レール７６が嵌合されている。図７のＡ−Ａ断面図は、図３に示した通りである。
【００２３】
交流分離部６０は、前述の交流電源１２の交流電圧を導電性レール４５に印加する構成部分である。図５（ｂ）に示した交流除去手段５４と同一の構成であり、交流除去された直流電力の電圧を上記三枚の直流供給レール７６における両端二枚の直流供給レール７６に印加する。
【００２４】
直流供給レール７６には、図６に示すように交流除去手段５４を備えない直流負荷５２Ａをそのまま接続して、直流電力の供給を受けさせることができる。また、導電性レール４５に対しては、交流負荷５１と直流負荷５２の双方を接続して電力を得ることができる。直流供給レール７６に対して、複数の交流分離部６０を並列接続して大電流を消費する直流負荷に備えることもできる。
【図面の簡単な説明】
【００２５】
【図１】本発明に係る電力供給システムの第１の実施例の構成図。
【図２】本発明に係る電力供給システムの第１の実施例に用いられるライティングダクト装置の平面図。
【図３】図２と図７のＡ−Ａ断面図。
【図４】本発明に係る電力供給システムの実施例に用いられる重畳装置の構成図。
【図５】本発明に係る電力供給システムの実施例に用いられる交流除去手段と直流除去手段の回路構成図。
【図６】本発明に係る電力供給システムの第２の実施例の構成図。
【図７】本発明に係る電力供給システムの第２の実施例に用いられるライティングダクト装置の平面図。
【図８】図７のＢ−Ｂ断面図。
【符号の説明】
【００２６】
１１  直流電源
１２  交流電源
２０、２０Ａ  ライティングダクト装置
３０  重畳装置
４５  導電性レール
７０  リニアコンセント
７６  直流供給レール
【図１】
2010075029.tif 000003
【図２】
2010075029.tif 000004
【図３】
2010075029.tif 000005
【図４】
2010075029.tif 000006
【図５】
2010075029.tif 000007
【図６】
2010075029.tif 000008
【図７】
2010075029.tif 000009
【図８】
2010075029.tif 000010